(57)【要約】【課題】  容器に簡単に取り付け可能で、作業者でも容器を安定的に運搬することができる運搬具を提供すること。【解決手段】  ロープが接続されたループ部材を少なくとも２つ含む運搬具であって、少なくとも２つのループ部材で対象物の側周面を取り囲み、各々のロープを引き上げることで対象物を持ち上げるための、前記運搬具。【選択図】図２
2019038687.tif 000002
【特許請求の範囲】
【請求項１】
ロープが接続されたループ部材を少なくとも２つ含む運搬具であって、少なくとも２つのループ部材で対象物の側周面を取り囲み、各々のロープを引き上げることで対象物を持ち上げるための、前記運搬具。
【請求項２】
ロープのループ部材の周方向における位置が調節可能である、請求項１に記載の運搬具。
【請求項３】
少なくとも１つのループ部材に接続されたロープを、他のループ部材に固定可能である、請求項１または２に記載の運搬具。
【請求項４】
ループ部材の周長が調節可能である、請求項１〜３のいずれか一項に記載の運搬具。
【請求項５】
ループ部材がバックルを有し、バックルを解除することでループ状を解除することが可能である、請求項１〜４のいずれか一項に記載の運搬具。
【請求項６】
ロープの長さが調節可能である、請求項１〜５のいずれか一項に記載の運搬具。
【請求項７】
ロープを引っ張ることでループ部材の周長を調節可能である、請求項１〜６のいずれか一項に記載の運搬具。
【請求項８】
ロープを巻き取り可能なグリップをさらに含む、請求項１〜７のいずれか一項に記載の運搬具。
【発明の詳細な説明】
【技術分野】
【０００１】  本発明は、対象物の側周面を把持して運搬することが可能な運搬具に関する。
【背景技術】
【０００２】  薬品や液体などを取り扱う工場においては、これらを収容した容器を入力で運搬することが多い。薬品や液体などを収容した容器は重いため、これを移動させるために容器を台車に載せて動かすなどの手段が取られている。しかしながら、容器自体に持ち手が無い場合は、これを１人で台車に載せるのは困難であり、２〜３人がかりで容器の側面を把持するなどして台車に載せることが多く、誤って落下させて足などを負傷する危険性がある。【０００３】  また、容器がファイバードラムのように持ち手の無いドラム缶形状を有する場合は、容器を傾斜させた状態で転がすなどして運搬することが多い。しかしながら、容器を転がす際に、容器を誤って転倒させたり、繰り返し転がすことで底面の縁部が摩耗したりして、容器の内容物が漏出する危険性がある。【０００４】  こうした事情から容器を適切に運搬するための様々な器具が開発されている。例えば、特許文献１に開示されるような把持装置は、一端に把持部を具備する３つのクランプを有し、クレーン操作によって把持装置全体を上昇させてゆくと、クランプの自重によって３つの把持部がドラム缶の突縁部に嵌合し、ドラム缶を把持して運搬することができる。
【先行技術文献】
【特許文献】
【０００５】
【特許文献１】実願２−７７２２９
【発明の概要】
【発明が解決しようとする課題】
【０００６】  上記のような把持装置は構造が複雑で、ドラム缶上部の３点にクランプを食い込ませる機構であるため、ドラム缶を傷つける上に安定性が低い。また、クランプの他方を支持する把持装置全体を一本のワイヤーを介して重機などで持ち上げる必要があり、手間が掛かる上に安定性が低い。本発明は、容器に簡単に取り付け可能で、作業者でも容器を安定的に運搬することができる運搬具を提供することを目的とする。
【課題を解決するための手段】
【０００７】  本発明者らは、鋭意検討する中で、ループ部材で容器の側周面を取り囲んで引き上げることにより、持ち手が無い容器でも安定的に把持することができ、しかも簡単に持ち上げることができるとの着眼のもと、さらに研究を重ねた結果、２つ以上のループ部材で容器を把持して持ち上げることで、持ち手が無い容器の安定的な運搬を実現できる運搬具の発明を完成するに至った。【０００８】  すなわち、本発明は以下に関する。
［１］ロープが接続されたループ部材を少なくとも２つ含む運搬具であって、少なくとも２つのループ部材で対象物の側周面を取り囲み、各々のロープを引き上げることで対象物を持ち上げるための、前記運搬具。
［２］ロープのループ部材の周方向における位置が調節可能である、上記［１］に記載の運搬具。
［３］少なくとも１つのループ部材に接続されたロープを、他のループ部材に固定可能である、上記［１］または［２］に記載の運搬具。
［４］ループ部材の周長が調節可能である、上記［１］〜［３］のいずれか１つに記載の運搬具。【０００９】［５］ループ部材がバックルを有し、バックルを解除することでループ状を解除することが可能である、上記［１］〜［４］いずれか１つに記載の運搬具。
［６］ロープの長さが調節可能である、上記［１］〜［５］いずれか１つに記載の運搬具。
［７］ロープを引っ張ることでループ部材の周長を調節可能である、上記［１］〜［６］いずれか１つに記載の運搬具。
［８］ロープを巻き取り可能なグリップをさらに含む、上記［１］〜［７］いずれか１つに記載の運搬具。
【発明の効果】
【００１０】  本発明によれば、対象物に簡単に取り付けて、安定的に運搬することができる運搬具を提供することができる。
本発明の運搬具は、ロープが接続されたループ部材で対象物の側周面を取り囲み、かかるロープを引き上げることで、ループ部材の対象物に対する取り付け角度を変えることができる。そして、取り付け角度を変えることで、ループ部材を対象物の側周面に密着させることができ、対象物を安定的に把持することができる。本発明のループ部材を対象物に取り付け、ロープで上方に引き上げるという簡単な操作で、対象物の側周面を把持して安定的に運搬することができる
【図面の簡単な説明】
【００１１】
【図１】図１は、本発明の運搬具のループ部材を概略的に示す斜視図である。
【図２】図２は、本発明の第１実施態様に係る運搬具を概略的に示す斜視図である。
【図３】図３は、本発明の第２実施態様に係る運搬具を概略的に示す斜視図である。
【図４】図４は、本発明の第３実施態様に係る運搬具を概略的に示す斜視図である。
【図５】図５は、本発明の第４実施態様に係る運搬具を概略的に示す正投影図である。
【図６】図６は、図５のグリップの変形例を示す概念図である。
【発明を実施するための形態】
【００１２】  以下、本発明に係る運搬具について実施態様を挙げ、図面を参照して説明する。なお、本願における各図において、説明を容易とするため、各部材の大きさは、適宜強調されており、図示の各部材は、実際の大きさを示すものではない。
【００１３】  図１は、本発明の運搬具のループ部材を概略的に示す斜視図である。図１Ａに示されるように、ループ部材１は、閉曲線を形成するループ状の帯状体であり、その周方向の一点に接続されるロープ１１を具備する。ループ部材１の周長は、容器Ｃにおける最小の周長より少し長く設定されており、容器Ｃの上方から被せることで簡単に取り付けることができる。図１Ｂは、ループ部材１を容器Ｃに取り付けた状態で、ロープ１１を上方に引き上げた状態を示す。ロープ１１を上方に引き上げると、ループ部材１に接続されたロープ１１がループ部材１の一点を上方に引き上げるため、ループ部材１の容器Ｃに対する取り付け角度α（ループ部材１の容器Ｃの垂直断面に対する角度）が変化する。
【００１４】  取り付け角度αが変化して、ループ部材１で形成される閉曲線の長さと、かかる閉曲線で取り囲まれた容器Ｃの周長とが同じになると、ループ部材１は容器Ｃの側周面に密着する。そして、ロープ１１をさらに引き上げるだけで、ループ部材１を容器Ｃに引っ掛けるように持ち上げることができる。また、容器Ｃの側周面がループ部材１で支持されるため、容器Ｃが１点で支持されるよりも安定的である。ループ部材１を容器Ｃから取り外す場合は、ロープ１１またはループ部材１を引き下げて、容器との密着性を下げる（例えば、取り付け角度αを０°に近づける）ことで、容易に取り外すことができる。
【００１５】〔第１実施態様〕
図２は、本発明の第１実施態様に係る運搬具を概略的に示す斜視図である。図２に示されるように、本実施態様に係る運搬具は、ロープ１１が接続されるループ部材１およびロープ２１が接続されるループ部材２を含む。図２Ａに示されるように、ループ部材１および２は、ロープ１１および２１が容器Ｃを挟んで対向するように、容器Ｃに取り付けることができる。このようにループ部材を２つ取り付けることで、例えばロープ１１を左手で、ロープ２１を右手で引き上げるなどして、１人の作業員でも容器Ｃを両手で持ち上げることができる。
【００１６】  また、ループ部材１および２は、容器Ｃの側周面おいて所定の間隔Ｄを空けて取り付けることができる。これにより、図２Ｂに示されるように、ロープ１１および／またはロープ２１を上方に引き上げてループ部材１および／またはループ部材２の取り付け角度が変化した際に、一方のループ部材が他方のループ部材に重なり、ループ部材と容器Ｃとの間の密着性が低減されることがない。また、重なりを避けるために、ループ部材１とループ部材２とが色分けされ、ループ部材の重なりが一目で分かるようにすることもできる。
【００１７】  また、図示されるように、ロープ１１および２１は、容器Ｃを挟んで互いに対向する方向にループ部材１および２を引っ張ることができるため、容器Ｃをより安定的に把持することができる。すなわち、例えばロープを容器Ｃの中心軸方向に引っ張ると、ロープが容器Ｃの側面に接触して引張力がループ部材に適切に伝わらず、取り付け角度の変化が十分に起こらず、ループ部材が容器から外れる場合があるが、上記のように対向する方向に引っ張ることで問題を避けることができる。
【００１８】〔第２実施態様〕
次に、第２実施態様に係る運搬具について説明する。なお、以下の説明では、第１実施態様に係る運搬具と同じ構成または機能を有する構成については同じ符号を付して説明は省略する。
【００１９】  図３は、本発明の第２実施態様に係る運搬具を概略的に示す斜視図である。本実施態様におけるロープ１１Ａおよび２１Ａは、ループ部材１Ａおよび２Ａ側の先端部Ｌが環状になっており、ループ部材１Ａをおよび２Ａを挿通させることができる。これにより、ロープ１１Ａおよび／または２１Ａをループ部材１Ａおよび／または２Ａの周方向にスライドさせることで、ループ部材の周方向におけるロープの位置を調節することができる。
【００２０】  上記のように、ロープ１１Ａおよび２１Ａを、容器Ｃを挟んで対向する方向に引っ張る場合、ループ部材を容器Ｃへ取り付ける際に、ロープ１１Ａとロープ２１Ａとの位置関係が正確に対向するように位置決めするのが好ましい。しかしながら、ループ部材を適切に位置決めした場合であっても、例えば、ロープを引き上げる際にロープを誤って容器Ｃの周方向へ引っ張ると、ループ部材が回転して対向するロープ同士の位置関係がずれてしまう場合がある。
【００２１】  図３Ｂは、図３Ａのベルト１１Ａ側から見た本実施態様における運搬具であって、ロープ１１Ａおよび２１Ａで容器Ｃを持ち上げた状態を示す。本実施態様に係るロープは、ループ部材の周方向における位置を調節することができるため、例えば、図３Ｂに示されるように、ループ部材１Ａおよび２Ａで容器Ｃを持ち上げた状態で、ロープ１１Ａおよび／またはロープ２１Ａをループ部材の周方向へスライドさせて位置を変更することができる。言うまでもなく、ロープ１１Ａとロープ２１Ａとの相対位置関係は、一方のロープ位置だけを調節して変更することも可能であるため、他方のロープ位置は固定されていてもよい。したがって、本発明に係る運搬具は、例えばループ部材の先端部Ｌに固定具を設け、ロープをループ部材上でスライドさせて位置を調節した上で、その位置を固定できるように構成してもよい。
【００２２】〔第３実施態様〕
図４は、本発明の第３実施態様に係る運搬具を概略的に示す斜視図である。図４Ａに示されるように、本実施態様におけるループ部材２Ｂは、ロープ２１Ｂと対向する位置にロープ１１Ｂを挿通できる挿通部２２Ｂを具備する。挿通部２２Ｂは固定具を有し、ロープ１１Ｂを挿通させて固定できるように構成されている。これにより、ループ部材１Ｂとループ部材２Ｂとの間隔Ｄを適切に調節および固定することができる。また、挿通部２２Ｂを介して、ループ部材１Ｂとループ部材２Ｂとを接続することができるため、ロープ１１Ｂとロープ２１Ｂとの相対位置関係も固定することができる。
【００２３】  図４Ｂは、ロープ１１Ｂを挿通部２２Ｂに固定して容器を引き上げた状態の本実施態様における運搬具を示す。図示されるように、ループ部材１Ｂおよびロープ１１Ｂが挿通部２２Ｂに固定され、挿通部２２Ｂがループ部材２Ｂの支点となるため、ロープ２１Ｂを引き上げる際に、ループ部材２Ｂが容器Ｃから外れにくくなる。さらに、ループ部材２Ｂの一方を挿通部２２Ｂを介して支持した状態で、他方をロープ２１Ｂで引き上げることで、２１Ｂの引張力がループ部材２Ｂに適切に伝わるため、ループ部材２Ｂを容器Ｃに強固に密着、固定させることができる。
【００２４】〔第４実施態様〕
図５は、本発明の第４実施態様に係る運搬具を概略的に示す正投影図である。本実施態様において、容器は立方体であり、ループ部材１Ｃおよび２Ｃは、それぞれバックルＢ、ロープ１１Ｃおよび２１Ｃ、ならびに挿通部２２Ｃを具備する。ループ部材１Ｃに着目して、バックルＢはループ部材１Ｃを容器に対して一般的なベルトのように巻き付けることを可能にする。すなわち、バックルＢを開いて、ループ部材１Ｃで形成される閉曲線の長さを自由に調節できる上に、バックルＢを閉じて、かかる閉曲線の長さを固定することもできる。これにより、さまざまな形状や寸法の対象物に合わせてループ部材の周長を自由に設定することができ、対象物に対するループ部材の取り付け易さや、取り外し易さを調節することができる。
【００２５】  さらに、一般的なベルトのように、バックルＢを開いてループ部材１Ｃのループ状を解除して一本の帯状にすることができるため、ループ部材１Ｃの容器への取り付けおよび取り外しが容易になる。すなわち、例えば、高さのある対象物にループ部材１Ｃを取り付ける場合、ループ部材１Ｃを一本の帯状にして対象物に巻き付け、バックルＢを閉じることで簡単に取り付けることができる。また、逆にループ部材１Ｃを取り外す場合も、バックルＢを開いてループ部材１Ｃを一本の帯状にした上で、容器の側方に引き抜くだけで簡単に取り外すことができる。
【００２６】  また、第２実施態様と同様に、本実施態様のロープ１１Ｃをループ部材１Ｃ上をスライド可能に構成した場合、例えば、ループ部材１ＣにおけるバックルＢの位置とロープ１１Ｃの位置とを近接させることで、使用者はロープ１１Ｃを操作する側の手で、バックル１３を操作することができ、運搬具の操作性が向上する。さらに、例えば、図５中央に示されるように、２つのループ部材のバックルＢ同士の位置を近接させることで、２つのループ部材の周長の調節を容器の一側面側のみで行えるようにして操作性を高めることもできる。
【００２７】  図５に示されるように、本実施態様におけるループ部材１Ｃおよび２Ｃは、複数の滑り止め部材Ｎを具備する。滑り止め部材Ｎは、ループ部材を挿通させることが可能な、摩擦係数の高いチューブ形状を有し、ループ部材上をスライドさせてその位置を自由に調節することができる。これにより、例えば対象物が多角形状を有する場合、複数の滑り止め部材Ｎを対象物の好適な位置にそれぞれ配置することで、対象物を適切に把持することができる。言うまでもなく、ループ部材自体の材質に摩擦係数の高い材質を選択することも可能である。
【００２８】  図５に示されるように、本実施態様におけるロープ１１Ｃおよび２１Ｃは、ループ部材１Ｃとは逆方向の基端側に長円形状のグリップＧを具備する。これにより、ロープ１１Ｃおよび２１Ｃを引き上げる際に、手をグリップＧの中央に入れて引っ張ることができ、手を保護することができる。
【００２９】  図６は、図５のグリップの変形例を示す概念図である。図６Ａは、グリップの斜視図、図６Ｂは、図６ＡのグリップのＡ−Ａ断面図、図６Ｃは、図６ＡのグリップのＢ−Ｂ断面図、図６Ｄは、ロープが巻き付けられた図６Ａのグリップの斜視図、図６Ｅは、図６ＤのグリップのＡ−Ａ断面図、図６Ｆは、図６ＥのグリップのＢ−Ｂ断面図である。
【００３０】  図６Ａ〜Ｆに示されるように、グリップは両端が拡開した略円筒形状を有し、グリップの空洞部分に手を入れた状態で、グリップの周りにロープを巻き付けることができる。図Ｅに示されるように、グリップの少なくとも両端部は可撓性の有る材料から作られており、ロープを巻き付けた状態でグリップを握ると、グリップの両端部がロープを左右から押し付け、確実にロープを固定することができる。また、図６Ｆに示されるように、ロープはグリップに対して何重にも巻き付けることができ、これにより、ロープから手を保護しながら対象物の大きさに合わせてロープの長さを調節することができる。
【００３１】  以上、本発明を好適な実施態様について説明したが、本発明はこれに限定されるものではない。
本発明においては、各構成は、組み合わせることができ、同様の機能を発揮し得る任意のものと置換することができ、あるいは、任意の構成を付加することもできる。
例えば、本発明のロープが接続されたループ部材は、一本のロープで形成された投げ輪のように構成することもできる。そして、この投げ輪の部分で対象物の側周面を取り囲んでロープを引っ張ることで対象物を締め付け、さらにロープを引き上げることで対象物を持ち上げることができる。また、上記では、本発明の運搬具を、２つのループ部材で説明したが、このループ部材を２つ以上含んでいてもよい。例えば、対象物を４人で持ち上げる場合は、ロープが接続されたループ部材を対象物に４つ取り付けて、４方向に引き上げてもよい。
【図１】
2019038687.tif 000003
【図２】
2019038687.tif 000004
【図３】
2019038687.tif 000005
【図４】
2019038687.tif 000006
【図５】
2019038687.tif 000007
【図６】
2019038687.tif 000008